(57)【要約】【課題】  本発明は、ろ過機能を有する排水口の清掃性を向上させることを目的としている。【解決手段】  集水部１に溜まった水を排水する排水口構造10であって、排水口３に流入した排水を排水管２へ導く排水口本体20と、排水口本体20の内部に嵌入して収納する管状部材30と、管状部材30の上端に嵌合することで排水口３への異物の侵入を防止するろ過部40とを有し、管状部材30は排水口３から引き出した位置に保持することが可能に構成されることを特徴とする。【選択図】  図１
2006169864.tif 000002
【特許請求の範囲】
【請求項１】
集水部に溜まった水を排水する排水口構造であって、
排水口に流入した排水を排水管へ導く排水口本体と、
前記排水口本体の内部に嵌入して収納する管状部材と、
前記管状部材の上端に前記排水管への異物の侵入を防止するろ過部とを有し、
前記管状部材は前記排水口から引き出した位置に保持することが可能に構成されることを特徴とする排水口構造。
【請求項２】
請求項１に記載の排水口構造であって、
前記ろ過部は、前記管状部材から着脱可能に構成されることを特徴とする排水口構造。
【請求項３】
請求項１又は２に記載の排水口構造であって、
前記排水口本体の内面及び前記管状部材の外面は円柱形状であり、
前記排水口本体の内面と前記管状部材の外面とは、互いに螺合する螺旋状の凹凸形状が形成されることを特徴とする排水口構造。
【発明の詳細な説明】
【技術分野】
【０００１】
本発明は、建築物の排水口の構造に関するものである。
【背景技術】
【０００２】
排水口構造として、排水口に、該排水口を覆うろ過部を有する構成がある（例えば、特許文献１参照）。
【０００３】
ろ過部には、落ち葉等の大きな異物を通さないほどの大きさの複数の穴が設けられているため、異物はろ過部の穴を通過することができないが、排水はろ過部に設けられた穴から通過することができる。これにより、異物はろ過部でせき止められるため排水口の中へは進入できず、排水管に異物が詰まることを防止する。
【０００４】
ろ過部の穴を通過できずにせき止められた異物が多くなると、これらの異物はろ過部の穴を覆ってしまう。すると、排水がろ過部を通過できなくなり、排水が排水口の周りに溜まってしまうことがある。この場合、ろ過部を溜まった排水中より取り出せば、排水と共に異物が排水管へ流入するおそれがある。これを回避するため、ろ過部の回りの異物を水中にて除去することで、排水機能の回復を図っていた。
【０００５】
【特許文献１】特開２０００−６４５２６
【発明の開示】
【発明が解決しようとする課題】
【０００６】
しかしながら、上述の排水口構造の場合、通常、排水は排水口の周りに溜まっているので、異物を除去する作業は水中で行うことになる。ここで、異物が水中にある場合、溜まっている排水の水圧により異物がろ過部に張りつくため、異物の除去作業は困難になる。また、排水が濁っている場合には視認しながら除去作業を行うことができず、これも除去作業を困難にする要因の一つである。更に、異物を一部除去しても、その一部分に排水の流れが集中するため、すぐに周りにある他の異物がその部分を塞いでしまい、除去作業の継続を困難にする。
【０００７】
そこで本発明は、異物が排水口を塞いだ場合でも、容易に異物の除去作業を行うことができるような排水口構造を提供することを目的とする。
【課題を解決するための手段】
【０００８】
上記目的を達成するための本発明の第１の構成は、集水部に溜まった水を排水する排水口構造であって、排水口に流入した排水を排水管へ導く排水口本体と、前記排水口本体の内部に嵌入して収納する管状部材と、前記管状部材の上端に前記排水管への異物の進入を防止するろ過部とを有し、前記管状部材は前記排水口から引き出した位置に保持することが可能に構成されることを特徴とする排水口構造である。
【０００９】
第２の構成は、前記ろ過部は、前記管状部材から着脱可能に構成されることを特徴とする排水口構造である。
【００１０】
第３の構成は、前記排水口本体の内面及び前記管状部材の外面は円柱形状であり、
前記排水口本体の内面と前記管状部材の外面とは、互いに螺合する螺旋状の凹凸形状が形成されることを特徴とする排水口構造である。
【発明の効果】
【００１１】
以上のような構成により、本発明の第１の構成によれば、管状部材を排水口から引き出した位置に保持することによって、ろ過部を溜まった排水の水面よりも外に出すことができる。このようにすれば、水圧が無い状態で、視認しながらろ過部に付着した異物を取り除くことができ、簡単且つ確実に除去作業を行うことができる。また同時に、引き出した管状部材の側壁が異物の混ざった排水をせき止めることができる。このため、排水管へ排水と共に異物が流入することを防止することができる。
【００１２】
本発明の第２の構成によれば、ろ過部を排水口本体に対して着脱可能に構成したことで、清掃時において、異物の混ざった排水をせき止めたままで、ろ過部のみを排水口本体から取り外して清掃することができる。このため、排水口内に異物が混入せず、容易に異物の除去作業をすることができる。
【００１３】
本発明の第３の構成によれば、円柱形状の管状部材の螺旋状の凹凸に沿って、回転させつつ上に移動させる。これにより、上下方向に多少の荷重がかかっても、管状部材は容易に下がらず、管状部材は安定して保持される。これにより、更に異物の除去作業を容易に行うことができる。
【発明を実施するための最良の形態】
【００１４】
〔第１実施形態〕
図を用いて本発明の第１実施形態を説明する。図１は第１実施形態の排水口構造の断面図であり、図２は第１実施形態の排水口構造の斜視図であり、図３は従来の排水口構造と第１実施形態の排水口構造との比較を示す図である。
【００１５】
（排水口構造10の構成）
図１及び図２に示すように、本実施形態の排水口構造10は、家屋に形成される排水の集水部１（ベランダ、バルコニー、屋根屋上床などの水下部）から、家屋の内部に配設される排水管２に排水を導くものである。
【００１６】
排水口構造10は、排水口３に流入した排水を排水管２へ導く排水口本体20と、排水口本体20の内部に嵌入して収納される管状部材30と、管状部材30の上端に嵌合することで排水管２への異物の進入を防止するろ過部40と、を有する。次に詳細に説明する。
【００１７】
排水口本体20は、図１及び図２に示すように、集水部１の排水口３の周辺において排水口本体20の上部を保持する保持部21と、排水口３に嵌まり込む円筒状の胴部22と、排水管２と接続することで排水管２へと排水を導く配管接続部23から構成される。尚、前記管状部材の断面形状は円形に限るものではない。例えば円管のみならず、四角形等の角管など多角形断面形状を有する管でもよい。
【００１８】
胴部22には、後述の凸部33が嵌まり込む２箇所の凹部24、25が形成される。上方の凹部24は管状部材30を上方で一時保持するもので、下方の凹部25は管状部材30を下端の位置で保持するためのものである。また、胴部22の凹部25よりも下方にはストッパ26が構成されており、管状部材30が必要以上に排水口３の内部に入り込まないようにしている。
【００１９】
管状部材30は、排水口本体20の胴部22の内周よりも若干小さい径で構成される。上端には、管状部材30を上昇させるための取手31が付帯される。また、内周には、排水口３のある高さにおいてろ過部40を保持するための保持突起32が形成されている。また、下端の近傍には、管状部材30が胴部22に対して保持されるように凹部24、25に嵌まり込む凸部33が形成される。
【００２０】
ろ過部40は、本実施形態においては網状の部材である。ろ過部40は、その周辺を管状部材30の保持突起32の上で保持されて、排水口３を覆う。これにより、排水口３に入ろうとする異物を防ぐ。尚、ろ過部40としては、網状の部材でなくともよく、例えば目皿等でもよい。
【００２１】
（排水口構造10の使用時の動作）
以上の構成により、排水口構造10の使用時の動作について、従来の排水口構造と比較して説明する。図３（ａ）〜（ｃ）は従来の排水口構造であり、図３（ｄ）〜（ｇ）は本実施形態の排水口構造10である。
【００２２】
まず、従来のようにろ過部が排水口を覆うのみの構造であると（図３（ａ）参照）、異物がろ過部を覆うことによって排水不良が起こった場合（図３（ｂ）参照）、異物を取り除くことで排水不良を解消する必要があるが、異物は水圧でろ過部に張り付いているため、除去をすることは容易ではない。また、異物を取り除いたとしても、異物を取り除いた箇所に排水が流れ込むことでさらに他の異物を引き寄せてしまう（図３（ｃ）参照）。このため、異物を除去する作業は困難となる。
【００２３】
本実施形態の排水口構造10においては、管状部材30を引き上げる取手31が付いている（図３（ｄ）参照）。このため、異物がろ過部40を覆うことによって排水不良が起こった場合（図３（ｅ）参照）、取手31をつかんで管状部材30を引き上げて、ろ過部40の位置を水面よりも高い位置に引き上げることができる（図３（ｆ）参照）。
【００２４】
管状部材30が引き上げられた時、管状部材30の凸部33が、排水口本体20の凹部24（図１参照）に嵌まり込む。すると、管状部材30は引き上げられたままの姿勢で保持される。これにより、異物を水中から出し、水圧のない空気中で異物の除去作業ができる。
【００２５】
また、保持突起32上に保持されているろ過部40を取り外すことで、異物を取り除くだけではなく、ろ過部40自体を水洗いして、汚れを落とすこともできる。
【００２６】
ろ過部40の清掃を終え、ろ過部40を管状部材30の保持突起32上に載置し、管状部材30を下降させると、再び集水部１に溜まった水は、排水口３から流入する。清掃されたろ過部40は、開口面積が広く排水速度が遅いので、異物は引き寄せられにくい（図３（ｇ）参照）。
【００２７】
以上のように、本実施形態の排水口構造10によれば、異物が排水口を塞いだ場合でも、容易に異物の除去作業を行うことができる。
【００２８】
〔第２実施形態〕
図を用いて本発明の第２実施形態を説明する。図４は第２実施形態の排水口構造の断面図であり、図５は第２実施形態の排水口構造の斜視図である。前述の実施形態と同様の構成については同様の符号を付し、説明を省略する。
【００２９】
（排水口構造110の構成）
図４及び図５に示すように、本実施形態の排水口構造110は、管状部材130の上端に管状部材130を上昇させるための取手131を付帯する。取手131は、管状部材130の引き上げ時以外の通常時は、側面に倒れて排水口３の側面に収納される構成となっている。
【００３０】
このように、取手131が収納される構成であるため、通常時に取手131が排水口３よりも高い位置に来ることはない。このため、排水口の上を歩くことがある場合等には、取手につまづくことがないという効果がある。特に、排水口３の上を人が歩く場合など、排水口３よりも高い位置に突起物がないように構成する場合に好ましい構成となる。
【００３１】
排水口構造110の使用時の動作は、ほぼ前述の実施形態と同様であるため省略する。
【００３２】
〔第３実施形態〕
図を用いて本発明の第３実施形態を説明する。図６は第３実施形態の排水口構造の断面図であり、図７は第３実施形態の管状部材及びろ過部の斜視図である。前述の実施形態と同様の構成については同様の符号を付し、説明を省略する。
【００３３】
（排水口構造210の構成）
図６及び図７に示すように、本実施形態の排水口構造210は、排水口本体220と、管状部材230と、ろ過部240と、を有する。次に詳細に説明する。
【００３４】
排水口本体220は、保持部21と、円筒状の胴部222と、配管接続部23から構成される。胴部222の内面には、後述の凸部233が移動するための螺旋状の凹部224が、次に示す範囲にわたって形成される。螺旋状の凹部224の下端は、ろ過部240が排水口３の位置（異物がない場合に排水可能な位置）であるときの凸部233の位置である。また、螺旋状の凹部224の上端は、排水不良で溜まった排水の水位よりも、ろ過部240が上の位置であるときの凸部233の位置である。但し、胴部222の最上端には設けられていない。
【００３５】
管状部材230は、排水口本体220の胴部222の内周よりも若干小さい径で構成される。また、内周には、排水口３のある高さにおいてろ過部240を保持するための保持突起232が形成されている。また、下端には、管状部材230が胴部222から着脱可能なように、内側に弾性変形する爪234が構成される。爪234の側面には、上記螺旋状の凹部224に嵌まり込む螺旋状の凸部233が形成される。
【００３６】
ろ過部240は、グレーチング241と籠状部材242とから構成される。グレーチング241は、本実施形態においてはアルミニウム等の鋳物で構成され、指を入れられるほどの穴241ａが形成される。グレーチングとは、格子目が長方形の排水溝の金属蓋のことである。グレーチング241は、グレーチング241上面における歩行時にかかる荷重などから籠状部材242を保護するために必要となる。籠状部材242は、目の細かい籠状であるため、グレーチング241の穴241ａを通過した異物が排水管２に進入するのを防ぐ。
【００３７】
図７に示すように、ろ過部240のグレーチング241と籠状部材242は、管状部材230の保持突起232の上でそれらの周囲を保持されて、排水口３を覆う。これにより、排水口３から入ろうとする異物を防ぐ。グレーチング241は、指をかけてひねることで、管状部材230も同時に回転させることができるよう、円以外の形状にすることが好ましい。本実施形態においては六角形としている。
【００３８】
本実施形態によれば、異物がろ過部240の籠状部材242に溜まって排水不良となった場合には、グレーチング241に指を入れてひねる。すると、管状部材230が回転し、管状部材230の下部の凸部233は、螺旋状の凹部224に沿って移動する。その結果、管状部材230は上昇する。こうしてろ過部240は、集水部１に溜まった排水の水面より上とすることができる。このように、本実施形態においても、ほぼ前述の実施形態と同様、容易に異物を取り除くことができる。
【００３９】
凹部224は、胴部222の最上部には設けられていない。このため、管状部材230を回転させても過度に上昇することがない。このように構成したことで、管状部材230が、胴部222から不用意に抜けてしまい、異物が排水と共に排水管２に進入するという事態を防止することができる。また、異物の清掃中に管状部材230に上下方向の力が加わっても、螺旋形状の凹部224凸部233が保持される。このため、管状部材230は容易に下がることはない。
【００４０】
尚、管状部材230を排水口本体220から取り外す場合には、管状部材230を回転させて上昇させた後、爪234を内部に押すことによって、凸部233と凹部224との係止が外れ、管状部材230を取り外すことができる。
【００４１】
尚、以上に示した実施形態の排水口構造は、特に、排水口からの吸引力の強いサイホン排水に利用することが好ましい。排水口からの吸引力が強い場合、排水と共に異物に対する吸引力も強く、異物が排水口を塞ぎやすい。このため、排水口の清掃性を向上させて、排水性能を回復させやすくすることで、サイホン排水の高い排水性能をより有効に発揮させることができるからである。
【産業上の利用可能性】
【００４２】
本発明は、建築物の排水口の以外にも排水口構造全般に利用することができる。
【図面の簡単な説明】
【００４３】
【図１】第１実施形態の排水口構造の断面図。
【図２】第１実施形態の排水口構造の斜視図。
【図３】従来の排水口構造と第１実施形態の排水口構造との比較を示す図。
【図４】第２実施形態の排水口構造の断面図。
【図５】第２実施形態の排水口構造の斜視図。
【図６】第３実施形態の排水口構造の断面図。
【図７】第３実施形態の管状部材及びろ過部の斜視図。
【符号の説明】
【００４４】
１ …集水部、
２ …排水管、
３ …排水口、
10 …排水口構造、
20 …排水口本体、
21 …保持部、
22 …胴部、
23 …配管接続部、
24 …凹部、
25 …凹部、
26 …ストッパ、
30 …管状部材、
31 …取手、
32 …保持突起、
33 …凸部、
40 …ろ過部、
110 …排水口構造、
130 …管状部材、
131 …取手、
210 …排水口構造、
220 …排水口本体、
222 …胴部、
224 …凹部、
230 …管状部材、
232 …保持突起、
233 …凸部、
234 …爪、
240 …ろ過部、
241 …グレーチング、
241ａ …穴、
242 …籠状部材
【図１】
2006169864.tif 000003
【図２】
2006169864.tif 000004
【図３】
2006169864.tif 000005
【図４】
2006169864.tif 000006
【図５】
2006169864.tif 000007
【図６】
2006169864.tif 000008
【図７】
2006169864.tif 000009